(57)【特許請求の範囲】
【請求項１】
強度、時間、波長およびスペクトルバンドのそれぞれに関して制御可能な光源と、スイッチ開閉手段と、電流源と、治療を受けた生体およびその器官の反応を検出するための手段とが備えられた、生体およびその器官を光線力学的に治療するための装置であって、
前記治療が、生物光化学効果が生起する染料との協同作用と、組織−光子相互作用とに基づいたものであり、エキスパートデータバンク（１６）とワーキングデータバンク（４３）とコンパレーター（４４）とを有するコンピュータ（１４）が備えられており、且つ前記治療を受けた生体およびその器官の反応を検出するための手段として、酸素濃度、組織インピーダンス、体積、血流、ＮＡＤＨ及びＭＰＡの濃度、または温度の中から選ばれた、癌を患った生体およびその器官の癌細胞の反応を示すデータ並びに健康な組織からのデータを検出するセンサー（３８）が備えられており、前記コンピュータ（１４）が前記光源（１２）と前記センサー（３８）とに接続されており、前記エキスパートデータバンクには、疾患組織の処置のための経験的に得られたデータが記憶されており、
前記センサーで検出された癌細胞の反応を示すデータが、前記ワーキングデータバンクに送られて前記コンパレータ用に処理され、前記センサーで検出された健康な組織のデータが、前記エキスパートデータバンクに送られ、望ましい値が決定され、前記コンパレーター（４４）が、前記ワーキングデータバンクで処理されたデータと前記エキスパートデータバンクで健康な組織から決定された所望値とを比較するものであり、この比較されたデータが適応型の制御システム（４５）によって評価され、この比較されたデータの評価に従って前記コンピュータ（１４）が前記光源（１２）の少なくとも強度を制御するように、データの返送を行うことにより、治療を受ける患者に応じて調整される適応型の治療に使用するように適応された装置。
【請求項２】
組織内への光照射の導入を制御するために前記光源（１２）の前にビームカップラー（１１）が設けられていることを特徴とする、請求項１に記載の装置。
【請求項３】
前記ビームカップラー（１１）が、光線を調整および／または選択するためのレンズ（２０）および／またはミラー（２１）を備えていることを特徴とする、請求項２に記載の装置。
【請求項４】
光線通路内への光線の調整および／または選択を行うために、前記ビームカップラー（１１）内に、反射プリズムまたは反射コーン（２２）が組み込まれていることを特徴とする、請求項３に記載の装置。
【請求項５】
前記ビームカップラー（１１）が、光線を調整および／または選択するための光ファイバーレンズ（２３、２３．１−２３．ｎ、２４、２４．１−２４．ｎ）を備えていることを特徴とする、請求項２に記載の装置。
【請求項６】
前記ビームカップラー（１１）内に設けられた光線を調整および／または選択するための装置が、照射される表面領域を幾何学的な形状にするために調整可能であることを特徴とする、請求項２から５のいずれかに記載の装置。
【請求項７】
治療される組織から予定のデータを検出するために、センサー（３８）の前にセンサーカップラー（３７）が接続されていることを特徴とする、請求項１から６のいずれかに記載の装置。
【請求項８】
前記センサーカップラー（３７）が、前記ビームカップラー（１１）と同様に構成されていることを特徴とする、請求項７に記載の装置。
【請求項９】
前記センサーカップラー（３７）が、前記レンズおよび／または前記ミラーおよび／または前記光ファイバーシステム（４５）に加えて、物理的および／または生理化学的測定データを検出するための電極（４６）および／または感応探針（４７）を含んでいることを特徴とする、請求項７または８に記載の装置。
【請求項１０】
前記光源（１２）は、広帯光源（２５）の後に、複数のスペクトルバンドフィルター（２８．１−２８．ｎ）および／または強度モジュレーター（３０．１−３０．ｎ）が別個に制御可能に接続されたものであることを特徴とする、請求項１から９のいずれかに記載の装置。
【請求項１１】
前記光源（１２）は、複数のスペクトルバンドフィルター（２８．１−２８．ｎ）および／または強度モジュレーター（３０．１−３０．ｎ）がその後に接続された広帯光源（２５）と、一または複数の強度制御レーザー（３５．１−３５．ｎ）とが組み合わされたものであることを特徴とする、請求項１から１０のいずれかに記載の装置。
【請求項１２】
前記スペクトルバンドフィルター（２８．１−２８．ｎ）および／または前記強度モジュレーター（３０．１−３０．ｎ）または前記強度制御レーザー（３５．１−３５．ｎ）の後に、光インテグレター（３２）が接続されており、この光インテグレター（３２）が、前記スペクトルバンドフィルター、前記強度モジュレーター、前記強度制御レーザーのすべてのユニットに対して共通して１つ設けられていることを特徴とする、請求項１０または１１に記載の装置。
【請求項１３】
前記光インテグレータ（３２）の出口（１７）が、前記ビームカップラー（１１）の入口（１７）と接続されていることを特徴とする、請求項１２に記載の装置。
【請求項１４】
前記センサー（３８）が、スペクトルパターンおよび／または電気生理学的および／または生理化学的データを別個に検出するように構成されていることを特徴とする、請求項１から１３のいずれかに記載の装置。
【請求項１５】
スペクトルパターンを検出するために、前記センサー（３８）が、モノクロメターおよび／または任意に制御可能なフィルターおよび／またはスペクトルアナライザー（５８）を備えていることを特徴とする、請求項１４に記載の装置。
【請求項１６】
どのセンサー（３８）にも、検出されるべきデータに合わせられたデータコンバータが接続されていることを特徴とする、請求項１４または１５に記載の装置。
【発明の詳細な説明】
この発明は、光源、スイッチ装置およびパワ−源を備えた、生体および生体器官の光力学的処理装置に関する。
生体および生体器官に対する光力学的処理は、生物光化学効果が特定の染料によって体内に生起し、その効果が、例えば癌組織においては、健康組織に比較して１０から３０倍の濃度をもって蓄積されるという事実に基づいている。これにより、癌組織細胞内の酸素単位の分離を可能にし、癌細胞を選択的に破壊する。
従来の装置においては、入念な管理制御なしに経験的に定めた時間だけ光源からの光を組織内に放射する方法で処理がなされていた。
光放射の間において、光学的な組織の緒特性および組織−光子相互作用は、異なった狭いスペクトル帯幅で連続的に変化することが経験的に知られている。組織には狭いスペクトル帯波長幅に入る光子（ホトン）と作用し合う多くの染料が含まれており、これにより生物光化学プロセスが発生する。したがって、治療効果は、染料の濃度、患部組織の光学的特性、適用する光の強度、光のスペクトル構造、および患者の一般的状態に依存するもので、ここでは、光の波長が異なるということは、光の強度と同様に、非常に重要なことである。
この発明は、上記のタイプの装置であって、光の波長あるいはスペクトル波長幅のほかに、光の強度をも考慮した装置を開発することを目的とする。
この目的は、光源が、その強度および／またはスペクトルバンドに関して、所定のスペクトルパタ−ン（光子エネルギ−パタ−ン）、好ましくはパタ−ンの連続が得られるように、コンピュ−タ手段により制御され得ることを特徴とする本発明により達成される。こうすることにより、放射強度および波長またはスペクトル構造をそれぞれの生物光化学プロセスに合わせることが可能になり、同時に、時間的に変化するスペクトルパタ−ンを組織内に放射させることも可能になる。
ここで、スペクトルパタ−ンとは、時間的に可変で且つ一つ以上のスペクトルバンドで成るスペクトル的に構成された光を意味する。最も簡単なスペクトルパタ−ンは、バンドエネルギ−、バンド幅、平均バンド波長、および時間をベクトル座標とする４次元ベクトルで特徴づけることができる。これらの４つのベクトルは、光源用として適当なコンピュ−タにより予め設定され、該コンピュ−タは個々のデータに基づき予めセットされている。
スペクトルパタ−ンを予め設定するためには、コンピュ−タにエキスパ−トデ−タバンクを備えるのが好都合である。したがって、このコンピュータは臨床実務に基づいて既に得られている基本的な特徴を含んでおり、特定の病気の治療に臨床的に証明されたスペクトルパタ−ンを繰返し利用することができるので、長時間を要する実験をおこなう必要がなくなる。組織に照射されているスペクトルパタ−ンが所望の作用を果たしているか否かを決めるために、コンピュ−タは、処置されている組織に関するデ−タを収集するセンサ−に連結される。コンピュ−タには、センサ−で収集されたデ−タバンクを前記エキスパ−トデ−タバンクのものと比較するためのコンパレ−タを備えることができ、この手段により、組織がスペクトルパタ−ンと所望の反応をしているか否かを直ちに決定することができる。センサ−は、決定されたデ−タをコンパレ−タ用に処理するワ−キングデ−タバンクに結合されており、ワ−キングデ−タバンクはエキスパ−トデ−タバンクに連結されている。したがって、それぞれの固体に適合して装置の最良の効果が得られるように、組織から返送されるデ−タに関してエキスパ−トデ−タバンクを修正することができる。
特に好ましい構成では、センサ−が、健全な組織のデ−タを収集するように設計され、センサ−によって得られた健全組織の所望値と疾患組織の実際値とを比較するように設計されたコンパレ−タを有する、参照デ−タバンクに連結される。
光線を組織に向けて正しく導くために、光源の前にビ−ムカップラ−が連結され、これにより放射光の最適利用がなされる。ビ−ムカップラ−は、光束の配列および／または選択を目的とするレンズおよび／またはミラ−でなる系を有したものとすることができる。これによって、適当なスペクトルパタ−ンが明確に構成され、適当に配列された光束を組織に導くことが可能となる。同様な目的で、光束の配列および／または選択のために反射プリズムまたは反射円錐体を光路に配置することもできる。
ビ−ムカップラ−の他の変形として、光ファイバ−を光束の配列および／または選択のために設けることもできる。これらの全ては、前記した、光子エネルギ−パタ−ンを明確に構築する目的を果たすものである。更に、光束の配列および／または選択のためのビ−ムカップラ−に備えられた装置は、照射すべき表面域の形状を限定するために、相対的に調整可能にすることができる。これにより、放射光を患部組織部だけに限定して向け、健全な組織が放射光に曝されないようにすることができる。
組織で生じるデ−タを注意深くセンサ−に向けるために、センサ−の前に処置する組織からのデ−タを注意深く予測された通りに得るためのセンサ−カップラ−を連結することができる。なお、センサ−カップラ−は、光子パターンを適当に処理された形でコンピュータに伝達させるよう、光子パターンを分析させる目的に合うようビ−ムカップラ−と同様に構成することができる。
ここで、センサ−カップラ−は、レンズ系および／またはミラ−系および／または光ファイバ−系を含む外に、物理的および／または生理化学的測定デ−タを決定するための電極および／または感応探針を有することもできる。
光源は、広帯光源の形態にすることができ、これには、光分配器および一つ以上のスペクトルバンドフィルタ−および／または強度モジュ−ルが縦に連結されている。したがって、単一の光源を使用することができるが、光分配器および／またはスペクトルバンドフィルタ−および／または強度モジュ−ルを変更するだけで改造が可能であるので、装置を多くの異なった用途に利用することが可能である。数個のスペクトルバンドフィルタ−および／または強度モジュ−ルがある場合には、各要素を別々に制御可能にして、より繊細なスペクトルパタ−ンが得られるようにすることができる。ある種の用途においては、光源を強度制御可能なレ−ザ−とすることもでき、選択的には多種のレ−ザ−が使用され、この場合には、光分配器およびスペクトルバンドフィルタ−の必要はない。縦並びに連結されたスペクトルバンドフィルタ−および／または強度モジュ−ルを有する広帯光源を強度制御可能なレ−ザ−と組み合わせることができ、こうすることにより、もしそれが有益であると考えられる場合には、組織に対する併合処置を可能にし、このような場合には、多目的に使用可能な装置とすることができる。ビ−ムカップラ−を介して導かれる光が、適切に準備された形でビ−ムカップラ−に送られるようにするために、スペクトルバンドフィルタ−および／または強度モジュ−ルに、あるいは、強度制御されるレ−ザ−に、縦並びに光インテグレ−タを結合することができる。光インテグレ−タは、組合せ構造の場合には、全てのユニットにより共有される。なお、光インテグレ−タからの出口は、直接にビ−ムカップラ−の入口に連結される。
デ−タが正確に得られるようにするために、センサ−を、スペクトルパタ−ンの分離検出、および／または電気生理学的および／または生理化学的デ−タの分離収集用に設計することができ、これにより各信号は分離されて記録され且つ処理が可能になる。スペクトルパタ−ンの決定のために、センサ−はモノクロメタ−および／または、任意に制御可能な、フィルタ−および／またはスペクトルアナライザ−を備えたものとすることができ、これにより、組織から返送されるスペクトルパタ−ンの正確な解析を可能にする。
センサ−により決定されるデ−タを特に正確に処理するために、決定すべきデ−タに調和するデ−タコンバ−タを各センサ−に縦並びに結合することができる。このデ−タコンバ−タは、それらのデ−タを、適切に処理して、作動（working bank）デ−タバンクに送る。
図においては、本発明の主題の代表的な実施態様を構成要素のブロック線図の形で示している。
図１は、従来の処理装置を示す。
図２は、改良された処置装置を示し、光源が経験的に定められたデ−タにより制御可能にしてある。
図３は、広帯光源を有するビ−ムカップラ−の第一のデザインを示す線図である。
図４は、広帯光源のビ−ムカップラ−の変形デザインを示す。
図５は、各スペクトルに別個のファイバ−を備えた、光ファイバ−を有するビ−ムカップラ−を示す。
図６は、一本のファイバ−索が光源から延び、スペクトルバンド数に応じて分離している、図５と同様な構造を示す。
図７は、広スペクトルバンドを放射する光源を有する制御可能な光源の構成を示す。
図８は、強度制御可能なレ−ザ−を使用する場合における、図７と同様な設計を示す。
図９は、広スペクトルバンドを放射する光源と若干の強度制御可能なレ−ザ−を有する組合せ構造を示す。
図１０は、放射装置に加え、組織のデ−タを決定するセンサ−装置も含めて、本発明装置の全体の構成を示す。
図１１は、センサ−の構成と組織との関係を示す。
図１２は、センサ−の構成を示す線図である。
図１３は、スペクトルセンサ−をより詳細に示す。
図１４は、組織からの帰還情報なしにエキスパ−ト・デ−タバンクの手段により制御がなされる、強度制御可能なレ−ザ−を有する本発明装置の全体設計を説明する図である。
図１５は、放射により変えられる組織デ−タを決定するためのセンサ−カップラ−およびセンサ−を更に有している、図１４と同様な図である。
図１に示す従来の設計においては、患者の組織１が電源３によって作動される光源２によって照射される。この光源２は、オン・オフ切替え装置４により切り替え可能にしてある。光源が患者の組織からは離れて位置しており、したがって、特定されていない放射光により前記組織が照射され、かなりの放射ロスが周囲に生じることは避けられない。
本発明の装置の第一の変形デザインにおいては、疾患および／または健全組織１０は、ビ−ムカップラ−１１を介して、その強度および／またはスペクトルパタ−ンが制御可能である光源１２に対向している。コンピュ−タ１４を介して指令される、前記パタ−ンを制御する電子装置１３がこの制御用に設けられている。光源１２およびパタ−ン制御用の電子装置１３の両者およびコンピュ−タ１４は、電源装置１５から給電される。このコンピュ−タには、エキスパ−トデ−タバンク１６が含まれており、この中に疾患組織の処置のための経験的に得られたデ−タが記憶されている。
この装置を作動する場合には、ビ−ムカップラ−１１を、ビ−ムカップラ−によって照らされている領域が疾患組織に一致するように、疾患組織に近付ける。このビ−ムカップラ−は、光束、すなわちスペクトルパタ−ンを、配線１８．１から１８．ｎを介してパタ−ン制御用電子装置１３に連結されている光源１２のビ−ム出力部１７を介して受ける。配線１８の数は、光源を作動させるバンド数またはスペクトルバンドの数によって決められる。パタ−ン制御用電子装置は、エキスパ−トデ−タバンクから適切なデ−タを引き出すコンピュ−タ１４から、制御信号出力部１９を介して、適切な制御指令を受ける。
図３から図６に、ビ−ムカップラ−１１の変形例を図式的に示す。図３は、レンズ２０および偏光ミラ−２１で構成されたビ−ムカップラ−を示す。ビ−ムカップラ−から放射されるパタ−ン変更は、レンズを適当に選び且つ配列し、ミラ−２１の傾斜を適切にすることによってなされる。
図４においては、ビ−ム出力１７はビ−ムカップラ−１１に突き当たる。その中で光束は反射コ−ンまたは反射プリズム２２に当たり、反射した光束は傾斜したミラ−を介して組織１０に向けられるようになっている。
図５においては、ビ−ムカップラ−は、ファイバ−２３．１から２３．ｎを構成する所定数の光ファイバ−２３を有する光ファイバ−を束ねた形態に構成されている。これらの各ファイバ−は、一定のスペクトル幅を送る。したがって、光ファイバ−の組合せにより所定のスペクトルパタ−ンを組織１０上に照射することができる。この変形デザインは、ビ−ム出力１７から一本の光ファイバ−束２４を導出し、これを途中でファイバ−２４．１から２４．ｎの束に分割することによって、図６に示すように変形することができ、この変更の場合においても明確なスペクトルパタ−ンを得ることができる。
図７は、強度および／またはスペクトルを制御可能にした光源の構成を示す。この光源は、パタ−ン制御用の電子装置により配線１８．１から１８．ｎを介して作動される。図７に示す配線１８．ｘおよび１８．ｙは、１８．１から１８．ｎに含めれるもので、同様にパタ−ン制御用の電子装置１３から導出され、強度および／またはスペクトル制御可能な光源１２のそれぞれの必要個所に連結されている。この光源は、広スペクトルバンドを放射する光源２５を有しており、光分散器および／またはダイヤフラム２６に連結されている。光分散器および／またはダイヤフラム２６から出る光は、更にライン２７を介してスペクトルバンドフィルタ−２８．１から２８．ｎに向けられ、そこで対応するスペクトルバンドパタ−ンに分散する。このスペクトルバンドパタ−ンは、ライン２９を介して、強度モジュ−ル３０．１から３０．ｎに送られ、そこで変調された光束はライン３１を経て光インテグレタ−３２に導かれる。この光インテグレタ−に入った光はビ−ム出力部１７を介してビ−ムカップラ−に導かれ、ここから組織１０に放射される。スペクトルバンドフィルタ−２８．１から２８．ｎは、パタ−ン制御用電子装置によりライン１８．ｘから１８．ｙを介して作動されるスペクトルフィルタ−３３により制御可能である。強度モジュール３０．１から３０．ｎは、対応するモジュール制御用の電子装置３４により制御可能になっている。この装置にもパタ−ン制御用の電子装置１３からのデ−タがライン１８．ｎを介して供給されている。図２に既に示されているように、このパタ−ン制御用の電子装置１３にはエキスパ−トデ−タバンク１６からのデ−タが、コンピュ−タ１４の信号出力部１９を介して供給されている。
図８においては、広スペクトルバンドを放射する光源２５の代わりに、設けられる光源は少なくとも一つの強度制御可能なレ−ザ−３５．１であり、これは、図８に見られるように、３５．ｎまで多数設けることができる。これらの強度制御可能なレ−ザ−は、ライン３６．１から３６．ｎを介して、レ−ザ−がそれを通して相応して作動される強度制御装置に連結されている。強度制御可能なレ−ザ−から出る光は、レ−ザ−の構成によってすでに一定のスペクトルバンドを有しており、ライン３１’を介して光インテグレ−タ３２に導かれ、ビ−ム出力１７を介してビ−ムカップラ−１１に作用する。強度制御可能なレ−ザ−３５．１から３５．ｎは、個別に制御可能であるので、各スペクトルバンドは、強度および／または時間に関して別々に制御することができる。そして、これは、強度モジュールをそのモジュールを制御するための特定の電子装置３４を介して制御しなければならず、スペクトルフィルタ−制御３３も相応して、すなわち、モジュール制御用の電子装置３４と協同して作動しなければならない図７に示すデザインの場合に比べて、より簡単になされる。
図９に示す変形例は、図７と図８に示す実施態様を組み合わせたものであり、ここでは図７と図８におけると同様な参照番号を使用している。この場合には、レ−ザ−光が、広スペクトルバンドを放射する光源からの光束の補足として調整されるので、更に高精度の放射制御が可能になり、所望の放射を得るために極めて狭いスペクトルレンジが強められる。
図１０に示す変形例は、その放射装置として、既に図２で述べた実施態様を備えている。ただし、この場合、更に、センサ−カップラ−３７、センサ−３８、センサ−デ−タ入力３９およびセンサ−制御装置４０でなるデ−タ取得装置が付加されている。センサ−カップラ−３７は、対応するライン４１を介してセンサ−３８に連結され、対応するセンサ−制御チャンネル４２およびセンサ−デ−タチャンネル４２’がセンサ−制御装置に通じている。コンピュ−タ１４内には、センサ−制御装置４０およびセンサ−入力３９に加えて、ワ−キングデ−タバンク４３、コンパレ−タ４４および適応性ある制御システム４５も備えられている。
この実施例においては、光源１２からビ−ムカップラ−を介して出てくる光は、エキスパ−トデ−タバンク１６からコンピュ−タ１４を介して出てくる値に従って疾患および／または健全組織に放射される。同時に、組織の放射光に対する反応が、センサ−カップラ−３７、ライン４１およびセンサ−３８を介して決定されて、対応するセンサ−デ−タは、センサ−デ−タチャンネル４２’およびセンサ−デ−タ入力部３９を介してコンピュ−タ１４に供給される。このコンピュ−タはセンサ−デ−タ入力からのデ−タをワ−キングデ−タバンク４３およびコンパレ−タ４４を介して処理し、後者はセンサ−デ−タ入力３９を介して決定されたデ−タをエキスパ−ト・デ−タバンクのそれと比較する。これらの比較デ−タは、制御システム４５を介して解析され、組織の値がエキスパ−ト・デ−タバンクのそれらに近いか、それともおそれらから離れているかが決定される。それによって反応の方向が制御システムを介して決定され、決定された値および傾向により、パタ−ン制御用のセンサ−制御４０および電子装置が適宜作動され、パタ−ン制御用電子装置１３が、制御可能な強度および／またはスペクトルを有する光源１２を、反応が所望の方向に進むように、調整する。同様にして、センサ−も、センサ−が修正デ−タを受けるように、センサ−制御４０を介して適当に再調整される。
ここで、センサ−カップラ−３７の構成は、ビ−ムカップラ−１１の構成と同様にすることができ、このセンサ−カップラ−には、レンズシステムおよび／または光ファイバ−システムおよび／またはミラ−システムを備えることができる。これらの設計は、概ね図３から６に示す構成に対応している。このレンズシクテムおよび／または光ファイバ−システムおよび／またはミラ−システムは図１１に４５で示している。
この純粋な光制御システムに加えて、電位、酸素飽和度あるいはその他の物理的および／または生理化学的な測定デ−タを得るために、電極４６および他の感応探針４７を設けることもできる。電極４６は、表面電極および／または針状電極および／または、組織内の電位差を引出し記録する、ミクロ電極とすることができる。酸素ガス、固体及び液体等のいろいろな物質の濃度や、幾何学的位置、体積、質量および振動を記録するために、その他の感応探針を使用することができる。また、組織インピーダンス、ＮＡＤＨ、ＭＰＡ，乳酸探針、組織感応探針または血糖感応探針、血流感応探針、感温探針、等々のパラメータアもあり、全てこれらのデータは細胞の光に対する反応を示すものである。これに関しては、特に、酸素、温度および乳酸の組み合わせ測定は特に有用であることが判明している。
図１２は、センサ−３８での解析を示し、スペクトル解析の測定値はライン４１を介してスペクトルセンサ−４８に記録され、化学的、生理学的および電気生理学的デ−タはセンサ−４９に記録され、その他のセンサ−デ−タはセンサ−５０に記録される。これらの各センサ−には、センサ−制御装置４２で作動されるセンサ−デ−タ制御装置５７によってライン５４、５５およひ５６を介して作動される制御装置５１、５２および５３がそれぞれ直列に連結されている。センサ−デ−タは、スペクトル制御装置５１のデ−タ出力、および可変制御装置５２または５３から取り出され、また、センサ−デ−タ制御装置５７にも入れられ、それよりライン４３を介してコンピュ−タ１４のセンサ−デ−タ入力３９に送られる。
図１３に示すスペクトルセンサ−４８の細部においては、モノクロメ−タおよび／またはフィルタ−または制御可能なフィルタ−および／またはスペクトルアナライザ−５８を備えている。これらは、ライン４２を介してセンサ−制御装置４０からの指令を受けるスペクトルセンサ−制御装置５１により作動される。モノクロメタ−および／またはフィルタ−または制御可能なフィルタ−および／またはスペクトルアナライザ−５８によって決定されたデ−タは、光電変換器５９および対応のデ−タ出力５４を経てセンサ−デ−タ制御装置５７に送られる。
図１０に従う設計の場合には、その制御は次のようにしてなされる。センサ−カップラ−３７、センサ−３８およびセンサ−デ−タチャンネル４２’を介してコンピュ−タ１４に送られるデ−タは、組織の健全部分から読み取られたデ−タである。これらのデ−タは、いわゆる望ましい値として、エキスパ−トデ−タバンク１６に入れられ、組織を光源１２およびビ−ムカップラ−１０を介して照射し、組織の反応が、再度、センサ−を介して決定される。健全な組織から決定されているエキスパ−トデ−タバンクの望ましい値が、疾患組織から照射後に決定されるデ−タとコンパレ−タ４４で比較され、ワ−キングデ−タバンクを介して解析される。適応性ある制御システム４５が再度反応の方向を解析する。
図１４に示す変形例は、図２におけると同様な放射装置を示す。即ち、強度制御可能なレ−ザ−３５．１から３５．ｎを装備した装置であり、レ−ザ−はＤ／Ａコンバ−タおよびアドレス及びデ−タセパレ−タを介してコンピュ−タ１４によりライン３６．１から３６．ｎを介して作動される。指標６０は、組織の上方にビ−ムカップラ−を向けるために設けられた、ビ−ムカップラ−用のホルダ−を示す。入力およびモニタ−装置を６１で示す。
図１５に示す装置は、図１０に示した装置に対応するもので、ここでも放射装置は強度制御可能なレ−ザ−により構成されている。センサ−３８は、制御可能なスペクトル光度計およびペ−ハ−（ｐＨ）探針を有し、これらは、それぞれＡ／Ｄコンバ−タを有していてアドレス及びデ−タセレクタ−を介してコンピュ−タに連結されている。この装置の放射装置は図１４にものに対応している。
【図１】
0004406091.tif 000002
【図２】
0004406091.tif 000003
【図３】
0004406091.tif 000004
【図４】
0004406091.tif 000005
【図５】
0004406091.tif 000006
【図６】
0004406091.tif 000007
【図７】
0004406091.tif 000008
【図８】
0004406091.tif 000009
【図９】
0004406091.tif 000010
【図１０】
0004406091.tif 000011
【図１１】
0004406091.tif 000012
【図１２】
0004406091.tif 000013
【図１３】
0004406091.tif 000014
【図１４】
0004406091.tif 000015
【図１５】
0004406091.tif 000016